(57)【要約】【課題】  盛土構造物であって、経済性に優れ施工容易な盛土構造物の壁面及びその施工方法の提供を目的とする。【解決手段】  ＰＣ鋼棒と、ＰＣ鋼棒を固定するための基礎体と、長手方向に貫通口を有する支持柱と、前記支持柱の凹状部に差し込み可能な板厚を有する板状のパネル体とにより構成し、前記支持柱は、前記支持柱の長手方向に沿って凹状部を有するＨ型状であり、前記貫通口の径は前記ＰＣ鋼棒の径より大きくしたことを特徴とする、盛土構造物の壁面。また、地盤上に基礎体を施工すると共に、複数のＰＣ鋼棒を基礎体に所定の間隔で立設して固定し、支持柱を、ＰＣ鋼棒に貫通孔を通して立設し、前記ＰＣ鋼棒の先端に引っ張り力を加えて、支持柱にプレストレスを掛けると共に、支持柱を基礎体に固定し、支持柱の凹状部にパネル体を差し込み支持柱間に壁面体を構成したことを特徴とする、盛土構造物の壁面の施工方法。【選択図】  図１
2006336418.tif 000002
【特許請求の範囲】
【請求項１】
盛土構造物の壁面であって、ＰＣ鋼棒と、
ＰＣ鋼棒を固定するための基礎体と、
長手方向に貫通口を有する支持柱と、
前記支持柱の凹状部に差し込み可能な板厚を有する板状のパネル体とにより構成し、
前記支持柱は、前記支持柱の長手方向に沿って凹状部を有するＨ型状であり、
前記貫通口の径は前記ＰＣ鋼棒の径より大きくしたことを特徴とする、
盛土構造物の壁面。
【請求項２】
請求項１に記載の盛土構造物の壁面において、
前記パネル体の対向する一対の２辺に嵌合部を形成し、複数のパネル体の嵌合部を嵌合し、一枚の壁面体を形成することを特徴とする、
盛土構造物の壁面。
【請求項３】
盛土構造物の壁面の施工方法であって、地盤上に基礎体を施工すると共に、複数のＰＣ鋼棒を基礎体に所定の間隔で立設して固定し、
支持柱を、ＰＣ鋼棒に貫通孔を通して立設し、
前記ＰＣ鋼棒の先端に引っ張り力を加えて、支持柱にプレストレスを掛けると共に、支持柱を基礎体に固定し、
支持柱の凹状部にパネル体を差し込み支持柱間に壁面体を構成したことを特徴とする、
盛土構造物の壁面の施工方法。
【請求項４】
請求項３に記載の盛土構造物の壁面の施工方法において、
パネル体の対向する一対の２辺に嵌合部を形成し、複数のパネル体の嵌合部を嵌合し、一枚の壁面体を形成することを特徴とする、
盛土構造物の壁面の施工方法。
【請求項５】
請求項３又は４に記載の盛土構造物の壁面の施工方法において、
ＰＣ鋼棒を水平面から傾斜して設置したことを特徴とする、
盛土構造物の壁面の施工方法。
【発明の詳細な説明】
【技術分野】
【０００１】
本発明は、急斜面地での盛土施工等で用いられる盛土構造物の壁面及びその施工方法に関するものである。
【背景技術】
【０００２】
従来から、軟弱地盤や急斜面の腹付け盛土工法、土圧軽減の軽量盛土工法等では道路の両側に壁面を構成し盛土材を充填して盛土構造物を施工している。
また、急斜面での腹付け盛土工法では地山の対面に壁面を構成して盛土材を充填して盛土構造物を施工している。
盛土材としては発泡スチロール、エアーモルタル、ソイルセメント等の軽量の盛土材が使用されている場合が多い。
上記の各工法では壁面を構成する必要があり、コンクリート擁壁、コンクリートパネルやブロックを積み上げて擁壁を施工して壁面を構成して盛土材を充填する。
充填した盛土材の土圧に対しては壁面の自重で抵抗する工法や、盛土内にテンサーなどの引っ張り抵抗材を配置して土圧を軽減する工法や、最近では壁面を構成するパネルやブロックをＰＣ鋼棒で緊張して壁面の転倒を防止する工法がある。
【発明の開示】
【発明が解決しようとする課題】
【０００３】
前記した従来の盛土構造物の壁面及びその施工方法は、次のような問題点がある。
＜１＞前記工法では急斜面などの施工が困難で工期と多大の工事費用が掛かる。
＜２＞強度を高めるために支持柱を太く形成する必要性や、支持柱を地中奥深くまで埋設する必要性がある。このため施工の困難な山間部での施工が容易でない。
＜３＞取り付け具を介して壁面を支持柱に取り付けるものであるため、軽量化に劣り、また山間部などでは施工が容易でない。またコストがかさむものである。
＜４＞壁面を構成する板状部材が一枚で構成される場合には、壁面設置の際に一枚の大きな板状部材を運搬する必要がある。また、施工場所によっては設置が容易でない。
【０００４】
本発明は以上の点に鑑みてなされたもので、その目的とするところは、盛土構造物の壁面であって、経済性に優れ施工容易な盛土構造物及びその施工方法の提供を目的とする。
また、軽量化及び簡素化され作業が容易になると共に、コスト面で優れた盛土構造物の壁面及びその施工方法の提供を目的とする。
また、足場の悪い急傾斜地での施工を容易にする盛土構造物の壁面及びその施工方法の提供を目的とする。
また、山間の道路、災害の復旧など重量物が搬入できない施工の困難な場所で、軽量化された部材を施工現場で組み立てて短期間に、かつ経済的に盛土構造物の壁面を施工することを目的とする。
【課題を解決するための手段】
【０００５】
上記のような問題を解決するために、本願の第１発明は、盛土構造物の壁面であって、ＰＣ鋼棒と、ＰＣ鋼棒を固定するための基礎体と、長手方向に貫通口を有する支持柱と、前記支持柱の凹状部に差し込み可能な板厚を有する板状のパネル体とにより構成し、前記支持柱は、前記支持柱の長手方向に沿って凹状部を有するＨ型状であり、前記貫通口の径は前記ＰＣ鋼棒の径より大きくしたことを特徴とする、盛土構造物の壁面である。
【０００６】
本願の第２発明は、第１発明に記載の盛土構造物の壁面において、前記パネル体の対向する一対の２辺に嵌合部を形成し、複数のパネル体の嵌合部を嵌合し、一枚の壁面体を形成することを特徴とする、盛土構造物の壁面である。
【０００７】
本願の第３発明は、盛土構造物の壁面の施工方法であって、地盤上に基礎体を施工すると共に、複数のＰＣ鋼棒を基礎体に所定の間隔で立設して固定し、支持柱を、ＰＣ鋼棒に貫通孔を通して立設し、前記ＰＣ鋼棒の先端に引っ張り力を加えて、支持柱にプレストレスを掛けると共に、支持柱を基礎体に固定し、支持柱の凹状部にパネル体を差し込み支持柱間に壁面体を構成したことを特徴とする、盛土構造物の壁面の施工方法である。
【０００８】
本願の第４発明は、第３発明に記載の盛土構造物の壁面の施工方法において、パネル体の対向する一対の２辺に嵌合部を形成し、複数のパネル体の嵌合部を嵌合し、一枚の壁面体を形成することを特徴とする、盛土構造物の壁面の施工方法である。
【０００９】
本願の第５発明は、第３発明又は第４発明に記載の盛土構造物の壁面の施工方法において、ＰＣ鋼棒を水平面から傾斜して設置したことを特徴とする、盛土構造物の壁面の施工方法である。
【発明の効果】
【００１０】
＜１＞支持柱にプレストレス工法を施工することで、支持柱の厚みを薄く形成可能にすると共に軽量化可能となり、山間部でも施工が容易となる。また、コストの低下にもつながる。
＜２＞支持柱に凹状部を設け、パネル体を凹状部に挿入して壁面を構成するため、軽量化が可能となると共に、施工が容易となる。
＜３＞パネル体を複数に分割したことで、運搬や施工が容易となる。
【発明を実施するための最良の形態】
【００１１】
以下、図面を参照しながら本発明の実施の形態について説明する。
【実施例１】
【００１２】
＜１＞  盛土構造物の壁面の概要
本発明の盛土構造物の壁面１０は、ＰＣ鋼棒２０、支持柱３０、パネル体４１、基礎体５０をその構成要素とする。
なお、パネル体４１は単数又は複数枚で壁面体４０を構成する。
【００１３】
＜２＞ＰＣ鋼棒
ＰＣ鋼棒２０は、支持柱３０にプレストレス工法を施工するために使用する鋼製の棒状体である。
図２に示すようにＰＣ鋼棒２０の長さは、支持柱３０よりも長く形成する。
【００１４】
＜３＞支持柱
支持柱３０は、長手方向に貫通口３０１を有し、長手方向に沿って凹状部３０２を有するＨ型状のコンクリート製の柱体である。
支持柱３０の貫通口３０１は、ＰＣ鋼棒２０を挿入するためＰＣ鋼棒２０の径よりも大きな径に形成する必要がある。
なお、支持柱３０は長手方向の両側に凹状部３０２を設けた鋼管製のパイプの柱体としても良い。
鋼管製のパイプで支持柱３０を構成する場合は、ＰＣ鋼棒２０を緊張する際には、鋼管のパイプ上部にプレートを置いてＰＣ鋼棒２０を緊張する。
【００１５】
＜４＞パネル体
壁面体４０を構成するパネル体４１は板状に形成したものであり、図３に示すように、パネル体４１を支持柱３０に設置した際に、支持柱３０に接する辺が、支持柱３０に形成した凹状部３０２の窪みに挿入しうる厚みに形成する必要がある。
特に、凹状部３０２の窪み内部の互いに対向する２辺の間隔である開口幅が、パネル体４１の厚みにほぼ等しくなるようにパネル体４１の厚みを形成することが望ましい。
また、パネル体４１を支持する支持柱３０から支持柱３０への長さであるパネル体４１の左右方向への長さは、パネル体４１の両端が各支持柱３０の凹状部に達する長さに形成する必要がある。
【００１６】
＜５＞基礎体
基礎体５０はコンクリート又はコンクリートブロック等からなるものであり、ＰＣ鋼棒２０、壁面体４０及び盛土材６０を支持しうる、重量、強度、安定度を有するものである。
またプレストレス工法を施工する際にＰＣ鋼棒２０を十分に固定する強度を有するものである。
山間地の軟らかい地盤では基礎体５０をアンカーで地山に固定する事もできる。
【００１７】
＜６＞  盛土材
盛土構造物の壁面１０を構築後に、盛土材６０を盛土構造物の壁面１０と地山の間に充填する。
盛土材６０は、発泡モルタルに加え、ソイルセメント、発泡ウレタン、発泡スチロール等で構成することが可能である。
【００１８】
＜７＞施工方法
盛土構造物の壁面１０を施工する地盤上に、基礎体５０である、基礎コンクリート、または基礎ブロック等を施工する。
【００１９】
施工した基礎体５０に、ＰＣ鋼棒２０を立て込み、先端を基礎体５０に固定する。
ＰＣ鋼棒２０を基礎体５０に複数本並列して施工する。
並列して施工する際には等間隔に施工することで、同一形状・サイズのパネル体４１を使用して盛土構造物の壁面１０を構成可能である。
【００２０】
ＰＣ鋼棒２０の一端を基礎体５０に埋め込んだ状態で、前記ＰＣ鋼棒２０が、支持柱３０の貫通口に挿入するように、支持柱３０を立設する。
【００２１】
プレストレス工法により、ＰＣ鋼棒２０を基礎体５０から引っ張る力を加えることで、支持柱３０にプレストレスをかける。
この状態で、ＰＣ鋼棒２０の天端を緊張すると共に、基礎体５０上に支持柱３０を固定する。
【００２２】
支持柱の凹状部３０２にパネル体４１を、支持柱３０の上端部から挿入していく。
【００２３】
図５に示すように、構成した壁面体４０及び支持柱３０と地山との間に盛土材６０を充填する。
盛土材６０は発泡モルタル、ソイルセメント、発泡ウレタン、発泡スチロール等を利用可能である。
また、支持柱３０の断面が大きなものを選択することで、より重量の大きな盛土材６０を充填することも可能である。
さらに、凹状部３０２の開口幅を広く取り厚みが大きなパネル体４１を挿入することでも、より重量の大きな盛土材６０を充填できる。
【実施例２】
【００２４】
一対の支持柱３０間の壁面体４０は、一枚の大きなパネル体４１で構成することも可能であるが、複数のより小さなパネル体４１を支持柱３０の凹状部３０２に挿入して形成することも可能である。
複数のより小さなパネル体４１により壁面体４０を構成する際には、パネル体４１の上側辺と下側辺に嵌合部４１１を形成する。
つまり、パネル体４１を支持柱３０に設置した際の上下方向に位置する辺に嵌合部４１１を形成する。
より具体的には、パネル体４１の長さ方向に位置する、対向する一対の２辺に嵌合部４１１を形成し、複数のパネル体４１の嵌合部４１１を形成したものである。
嵌合部４１１は、例えば図４に示すように、上側辺を凹型４１１ａに形成し、下側辺に凸型４１１ｂに形成することも可能である。その際には、各パネル体４１の嵌合部４１１ａと４１１ｂを結合し上下に積み重ねていくように構成することも可能である。
なお、嵌合部４１１の形状は上側辺と下側辺の形状を反対にしたものや、嵌合しうる公知の形状を利用可能である。
パネル体４１を上下に積み重ねていくことで盛土構造物の壁面１０の壁面体４０を構成するものとなる。
【実施例３】
【００２５】
図６に示すように、ＰＣ鋼棒２０を基礎体５０に設置する際に、水平面から傾斜して設置することもできる。
傾斜方向は、地山側に傾斜させることで、地山と盛土構造物の壁面１０との間に充填する、盛土材６０の使用量を減量させることが可能となる。
【図面の簡単な説明】
【００２６】
【図１】本発明の盛土構造物の壁面の概観図。
【図２】本発明の盛土構造物の壁面の側面図。
【図３】本発明の盛土構造物の壁面の上面図。
【図４】本発明の盛土構造物の壁面のパネル体の説明図。
【図５】本発明の盛土構造物の壁面の説明図。
【図６】本発明の盛土構造物の壁面を傾斜させて設置した説明図。
【符号の説明】
【００２７】
１０    盛土構造物の壁面
２０    ＰＣ鋼棒
３０    支持柱
３０１  貫通口
３０２  凹状部
４０    壁面体
４１    パネル体
４１１  嵌合部
５０    基礎体
６０    盛土材
【図１】
2006336418.tif 000003
【図２】
2006336418.tif 000004
【図３】
2006336418.tif 000005
【図４】
2006336418.tif 000006
【図５】
2006336418.tif 000007
【図６】
2006336418.tif 000008